(57)【要約】【課題】水稲栽培における重要な作業管理の適正な管理作業情報を容易に得ることができる水稲栽培の適正管理作業早見盤を提供することを目的とする。【解決手段】複数の水稲生育状態値１と複数の適正管理情報２とを記載した可動盤３を基盤４に可動自在にして重合状態に設け、この基盤４に確認した水稲生育状態値１を一致させる水稲生育状態値合わせ部５と、適正管理作業情報２を表示する適正管理作業情報表示窓部６と、水稲の生育状態の確認方法を記載した水稲生育状態確認方法表示部７とを設けて、確認した水稲生育状態値１を、可動盤３を可動し水稲生育状態値合わせ部５に一致させた際に、適正管理作業情報表示窓部６に確認した水稲の生育状態に応じた適正管理作業情報２を表示するように構成した水稲栽培の適正管理作業早見盤。【選択図】図１
2011254710.tif 000002
【特許請求の範囲】
【請求項１】
水稲栽培における中干しや穂肥などの管理作業を適期に且つ適正に実施するために、水稲の生育状態を確認することで前記管理作業を最適な条件で行うための適正な管理作業情報を得ることができる携帯可能な水稲栽培の適正管理作業早見盤であって、前記水稲の生育状態を数値化した複数の水稲生育状態値と前記水稲の生育状態に対応する前記管理作業の適正な管理作業を指示する複数の適正管理情報とを記載した可動盤を基盤の内側若しくは下側に可動自在にして重合状態に設け、この基盤の表面に選択する前記水稲生育状態値を一致させる水稲生育状態値合わせ部と、前記適正管理作業情報を表示する適正管理作業情報表示窓部と、前記水稲の生育状態の確認方法を記載した水稲生育状態確認方法表示部とを設けて、この水稲生育状態確認方法表示部に記載した前記水稲の生育状態の確認方法で確認した水稲生育状態値を、前記可動盤を可動し前記水稲生育状態値合わせ部に一致させた際に、前記適正管理作業情報表示窓部に確認した前記水稲の生育状態に応じた前記適正管理作業情報を表示するように構成し、前記水稲生育状態値は、中干し適期の情報を得るための水稲の一株当りの平均茎数、又は適正な穂肥を施用するための情報を得るための水稲の葉色測定値，水稲の草丈若しくは水稲の一株当りの平均茎数の少なくともいずれか、又は幼穂形成期以降の管理作業適期の情報を得るための幼穂形成期確認日であり、前記適正管理作業情報は、前記可動盤に記載した水稲生育状態値に対応する中干し適期を指示するための情報、又は適正な穂肥適期を施用するための情報、又は幼穂形成期以降に行う穂肥，落水若しくは収穫などの管理作業適期を指示するための情報であることを特徴とする水稲栽培の適正管理作業早見盤。
【請求項２】
前記可動盤の一面に中干し適期の情報を得るための前記水稲生育状態値と前記適正管理作業情報とを記載し、他面に適正な穂肥を施用するための情報を得るための前記水稲生育状態値と前記適正管理作業情報、又は幼穂形成期以降の管理作業適期の情報を得るための前記水稲生育状態値と前記適正管理作業情報とを記載し、前記基盤の一面に水稲の茎の数え方を記載した前記水稲生育状態確認方法表示部を設け、他面に水稲の葉色の調べ方を記載した前記水稲生育状態確認方法表示部又は幼穂長の調べ方を記載した前記水稲生育状態確認方法表示部を設けて、前記基盤の一面に中干し適期の情報を得るための中干し適期診断部を設け、他面に適正な穂肥を施用するための情報を得る適正穂肥診断部、又は幼穂形成期以降の管理作業適期の情報を得る後期管理作業適期診断部を設けたことを特徴とする請求項１記載の水稲栽培の適正管理作業早見盤。
【請求項３】
前記可動盤の一面に中干し適期の情報を得るための前記水稲生育状態値と前記適正管理作業情報とを記載し、他面に適正な穂肥を施用するための情報を得るための前記水稲生育状態値と前記適正管理作業情報、及び幼穂形成期以降の管理作業適期の情報を得るための前記水稲生育状態値と前記適正管理作業情報とを記載し、前記基盤の一面に水稲の茎の数え方を記載した前記水稲生育状態確認方法表示部を設け、他面に水稲の葉色の調べ方を記載した前記水稲生育状態確認方法表示部、及び幼穂長の調べ方を記載した前記水稲生育状態確認方法表示部を設けて、前記基盤の一面に中干し適期の情報を得るための中干し適期診断部を設け、他面に適正な穂肥を施用するための情報を得る適正穂肥診断部、及び幼穂形成期以降の管理作業適期の情報を得る後期管理作業適期診断部を設けたことを特徴とする請求項１記載の水稲栽培の適正管理作業早見盤。
【請求項４】
前記中干し適期診断部は、前記可動盤に前記水稲生育状態値としての水稲の一株当りの平均茎数と、前記適正管理作業情報としての前記水稲生育状態値を確認した日から中干し適期までの日数とを記載し、前記基盤の前記水稲生育状態確認方法表示部に水稲の茎の数え方を記載し、この水稲生育状態確認方法表示部に記載した前記水稲の茎の数え方に従って確認した水稲生育状態値を、前記可動盤を可動し前記水稲生育状態値合わせ部に一致させた際に、前記適正管理作業情報表示窓部に中干し適期までの日数を表示して中干し適期の情報を得ることができるように構成したことを特徴とする請求項２，３のいずれか１項に記載の水稲栽培の適正管理作業早見盤。
【請求項５】
前記中干し適期診断部は、前記可動盤に前記水稲の生育状態を確認した日から中干し適期までの日数を栽植密度の異なる複数の田んぼに対応するように複数の前記適正管理作業情報を記載し、前記適正管理作業情報表示窓部を複数設けて、前記可動盤を可動し水稲の生育状態を確認し得た前記水稲生育状態値を選択して水稲生育状態値合わせ部に一致させた際に、前記栽植密度の異なる田んぼに対応する複数の適正管理作業情報を同時に表示するように構成したことを特徴とする請求項２〜４のいずれか１項に記載の水稲栽培の適正管理作業早見盤。
【請求項６】
前記適正穂肥診断部は、前記可動盤に前記水稲生育状態値としての水稲の葉色測定値，水稲の草丈，水稲の一株当りの平均茎数と、前記適正管理作業情報としての適正管理作業情報対応符号とを記載し、前記基盤に水稲の葉色の調べ方を記載した前記水稲生育状態確認方法表示部を設けると共に、前記適正管理作業情報対応符号を付した複数の適正管理作業情報を列記した適正管理作業情報対応表示部を設け、この水稲生育状態確認方法表示部に記載した前記水稲の葉色の調べ方に従って前記水稲の葉色測定値を確認し、前記水稲生育状態値を前記水稲の葉色測定値，前記水稲の草丈，前記水稲の一株当りの平均茎数の順で、前記可動盤を可動し前記水稲生育状態値合わせ部に合わせた際に、前記適正管理作業情報表示窓部に前記適正管理作業情報対応符号が表示され、この表示された適正管理作業情報対応符号を前記適正管理作業情報対応表示部に列記した前記適正管理作業情報対応符号を付した適正管理作業情報と対応させることで適正な穂肥を施用するための情報を得ることができるように構成したことを特徴とする請求項２〜５のいずれか１項に記載の水稲栽培の適正管理作業早見盤。
【発明の詳細な説明】
【技術分野】
【０００１】
本発明は、水稲栽培における中干しや穂肥などの管理作業を適期に且つ適正に行い高品質・良食味米を生産するために、米生産者が水稲栽培にとって重要な作業管理の適正な管理作業情報を得ることができる水稲栽培の適正管理作業早見盤に関するものである。
【背景技術】
【０００２】
水稲栽培は、田植えから収穫までの間に様々な管理作業を行わなければならず、これらの管理作業をそれぞれ適期に行わなければその効果を十分に発揮することはできない。例えば中干しの実施時期を遅らせてしまうと無駄な茎が成長し主幹が太くならずに、収穫前に倒れ易い稲となってしまい、品質・食味を低下させてしまう原因となってしまうことがあり、また、穂肥の施用時期や施用量も水稲の生育状況に合わせて適期に適量の肥料を与えることが重要であり、例えば穂肥の施用時期が遅れたり施用量が不足であった場合は、稲の未成熟による乳白米の原因となったり、例えば穂肥の施用時期が早すぎたり施用量が過剰であった場合は、水稲が倒伏する原因となったりするなど、穂肥の施用時期、施用量は収穫量や食味に大きな影響を与えるものである。
【０００３】
このような重要な管理作業は、本来は、毎日、田んぼに出向いて水稲の生育状態を確認し、水稲が適正な生育状態になった時点で夫々の管理作業を行うものであるが、近年、兼業農家の割合が大幅に増加し、このような兼業農家では、普段は会社などに勤めているため、前述したような毎日水稲の生育状態を確認するといったことはできず、従って、従来の経験や周囲の状況、或いは農協などの指導機関からの一般的な情報を頼りにして管理作業の実施日を判断する農家が増えてきている。
【０００４】
その結果、適期に管理作業を行うことが難しくなり、バラツキのない高品質・良食味米を安定して生産することが困難な状況になってきている。
【発明の概要】
【発明が解決しようとする課題】
【０００５】
そこで、本発明は、毎日、田んぼに出向いて水稲の生育状態を確認しなくとも、所定の時期における水稲の生育状態を確認することで容易に管理作業を最適な条件で行うための適正な管理作業情報を得ることができ、様々な管理作業を確実に適期に且つ適正に実施することができる極めて利便性の高い実用性に優れた水稲栽培の適正管理作業早見盤を提供することを目的とする。
【課題を解決するための手段】
【０００６】
添付図面を参照して本発明の要旨を説明する。
【０００７】
水稲栽培における中干しや穂肥などの管理作業を適期に且つ適正に実施するために、水稲の生育状態を確認することで前記管理作業を最適な条件で行うための適正な管理作業情報を得ることができる携帯可能な水稲栽培の適正管理作業早見盤であって、前記水稲の生育状態を数値化した複数の水稲生育状態値１と前記水稲の生育状態に対応する前記管理作業の適正な管理作業を指示する複数の適正管理情報２とを記載した可動盤３を基盤４の内側若しくは下側に可動自在にして重合状態に設け、この基盤４の表面に選択する前記水稲生育状態値１を一致させる水稲生育状態値合わせ部５と、前記適正管理作業情報２を表示する適正管理作業情報表示窓部６と、前記水稲の生育状態の確認方法を記載した水稲生育状態確認方法表示部７とを設けて、この水稲生育状態確認方法表示部７に記載した前記水稲の生育状態の確認方法で確認した水稲生育状態値１を、前記可動盤３を可動し前記水稲生育状態値合わせ部５に一致させた際に、前記適正管理作業情報表示窓部６に確認した前記水稲の生育状態に応じた前記適正管理作業情報２を表示するように構成し、前記水稲生育状態値１は、中干し適期の情報を得るための水稲の一株当りの平均茎数、又は適正な穂肥を施用するための情報を得るための水稲の葉色測定値，水稲の草丈若しくは水稲の一株当りの平均茎数の少なくともいずれか、又は幼穂形成期以降の管理作業適期の情報を得るための幼穂形成期確認日であり、前記適正管理作業情報２は、前記可動盤３に記載した水稲生育状態値１に対応する中干し適期を指示するための情報、又は適正な穂肥適期を施用するための情報、又は幼穂形成期以降に行う穂肥，落水若しくは収穫などの管理作業適期を指示するための情報であることを特徴とする水稲栽培の適正管理作業早見盤に係るものである。
【０００８】
また、前記可動盤３の一面に中干し適期の情報を得るための前記水稲生育状態値１と前記適正管理作業情報２とを記載し、他面に適正な穂肥を施用するための情報を得るための前記水稲生育状態値１と前記適正管理作業情報２、又は幼穂形成期以降の管理作業適期の情報を得るための前記水稲生育状態値１と前記適正管理作業情報２とを記載し、前記基盤４の一面に水稲の茎の数え方を記載した前記水稲生育状態確認方法表示部７を設け、他面に水稲の葉色の調べ方を記載した前記水稲生育状態確認方法表示部７又は幼穂長の調べ方を記載した前記水稲生育状態確認方法表示部７を設けて、前記基盤４の一面に中干し適期の情報を得るための中干し適期診断部８を設け、他面に適正な穂肥を施用するための情報を得る適正穂肥診断部９、又は幼穂形成期以降の管理作業適期の情報を得る後期管理作業適期診断部10を設けたことを特徴とする請求項１記載の水稲栽培の適正管理作業早見盤に係るものである。
【０００９】
また、前記可動盤３の一面に中干し適期の情報を得るための前記水稲生育状態値１と前記適正管理作業情報２とを記載し、他面に適正な穂肥を施用するための情報を得るための前記水稲生育状態値１と前記適正管理作業情報２、及び幼穂形成期以降の管理作業適期の情報を得るための前記水稲生育状態値１と前記適正管理作業情報２とを記載し、前記基盤４の一面に水稲の茎の数え方を記載した前記水稲生育状態確認方法表示部７を設け、他面に水稲の葉色の調べ方を記載した前記水稲生育状態確認方法表示部７、及び幼穂長の調べ方を記載した前記水稲生育状態確認方法表示部７を設けて、前記基盤４の一面に中干し適期の情報を得るための中干し適期診断部８を設け、他面に適正な穂肥を施用するための情報を得る適正穂肥診断部９、及び幼穂形成期以降の管理作業適期の情報を得る後期管理作業適期診断部10を設けたことを特徴とする請求項１記載の水稲栽培の適正管理作業早見盤に係るものである。
【００１０】
また、前記中干し適期診断部８は、前記可動盤３に前記水稲生育状態値１としての水稲の一株当りの平均茎数と、前記適正管理作業情報２としての前記水稲生育状態値１を確認した日から中干し適期までの日数とを記載し、前記基盤４の前記水稲生育状態確認方法表示部７に水稲の茎の数え方を記載し、この水稲生育状態確認方法表示部７に記載した前記水稲の茎の数え方に従って確認した水稲生育状態値１を、前記可動盤３を可動し前記水稲生育状態値合わせ部５に一致させた際に、前記適正管理作業情報表示窓部６に中干し適期までの日数を表示して中干し適期の情報を得ることができるように構成したことを特徴とする請求項２，３のいずれか１項に記載の水稲栽培の適正管理作業早見盤に係るものである。
【００１１】
また、前記中干し適期診断部８は、前記可動盤３に前記水稲の生育状態を確認した日から中干し適期までの日数を栽植密度の異なる複数の田んぼに対応するように複数の前記適正管理作業情報２を記載し、前記適正管理作業情報表示窓部６を複数設けて、前記可動盤３を可動し水稲の生育状態を確認し得た前記水稲生育状態値１を選択して水稲生育状態値合わせ部５に一致させた際に、前記栽植密度の異なる田んぼに対応する複数の適正管理作業情報２を同時に表示するように構成したことを特徴とする請求項２〜４のいずれか１項に記載の水稲栽培の適正管理作業早見盤に係るものである。
【００１２】
また、前記適正穂肥診断部９は、前記可動盤３に前記水稲生育状態値１としての水稲の葉色測定値，水稲の草丈，水稲の一株当りの平均茎数と、前記適正管理作業情報２としての適正管理作業情報対応符号２ａとを記載し、前記基盤４に水稲の葉色の調べ方を記載した前記水稲生育状態確認方法表示部７を設けると共に、前記適正管理作業情報対応符号２ａを付した複数の適正管理作業情報２を列記した適正管理作業情報対応表示部11を設け、この水稲生育状態確認方法表示部７に記載した前記水稲の葉色の調べ方に従って前記水稲の葉色測定値を確認し、前記水稲生育状態値１を前記水稲の葉色測定値，前記水稲の草丈，前記水稲の一株当りの平均茎数の順で、前記可動盤３を可動し前記水稲生育状態値合わせ部５に合わせた際に、前記適正管理作業情報表示窓部６に前記適正管理作業情報対応符号２ａが表示され、この表示された適正管理作業情報対応符号２ａを前記適正管理作業情報対応表示部11に列記した前記適正管理作業情報対応符号２ａを付した適正管理作業情報２と対応させることで適正な穂肥を施用するための情報を得ることができるように構成したことを特徴とする請求項２〜５のいずれか１項に記載の水稲栽培の適正管理作業早見盤に係るものである。
【発明の効果】
【００１３】
本発明は上述のように構成したから、基盤の表面に設けた水稲生育状態確認方法表示部には水稲の生育状態の確認方法が記載されており、これを見ながら記載された確認方法に従って水稲の生育状態を確認することで、専門的な知識や経験が無い人でも水稲の生育状態を確認することができ、更に、この確認した水稲の生育状態を数値化した水稲生育状態値を、可動盤を可動させて水稲生育状態値合わせ部に一致させるだけで、適正管理作業情報表示窓部に適正管理作業情報が表示され、水稲栽培における中干しや穂肥などの様々な管理作業において、所望の管理作業を最適な条件（適切な期日や適正な施用量）で行うための適正な管理作業情報を極めて容易に得ることができ、これによって重要な管理作業の適期を逸したり、不適切な施用量で管理したことによる収穫量の低下や品質の低下を招くことなく、高品質な良食味米を安定して生産、収穫することができる利便性が高く実用性に優れた画期的な水稲栽培の適正管理作業早見盤となる。
【００１４】
即ち、従来のように、毎日田んぼに行って水稲の生育状態を確認して水稲の生育状態が管理作業の適期の状態になったかどうかを一々確認する必要がなく、また、その水稲の生育状態の確認方法、例えば水稲の茎の数え方、葉色の調べ方若しくは幼穂長の調べ方などを水稲生育状態確認方法表示部に記載しているので、これら水稲の生育状態の確認方法を一々知識として習得しておく必要が無く、従って、例えば専門書で調べたり講習会などで情報収集をしたりする手間も省けるので、利便性が高く実用性に優れた水稲栽培の適正管理作業早見盤となる。
【００１５】
また、請求項２〜４記載の発明においては、中干し適期の情報を得ることができるだけでなく、適正な穂肥を施用するための情報若しくは幼穂形成期以降の管理作業適期の情報を得ることができるので、一台で複数の適正な管理作業情報を得ることができる利便性に優れた水稲栽培の適期管理作業早見盤となり、特に請求項３記載の発明においては、中干し適期・適正穂肥・幼穂形成期以降の管理作業適期の全てを診断することができるので、極めて実用性に優れた水稲栽培の適正管理作業早見盤となる。
【００１６】
また、請求項５記載の発明においては、例えば５０株植えの田んぼや６０株植えの田んぼなど栽植密度の異なる田んぼにも対応できる汎用性に優れた水稲栽培の適正管理作業早見盤となる。
【００１７】
また、請求項６記載の発明においては、可動盤の大きさを大きくするといった設計変更することなく、より多くの適正管理作業情報を記載できるので、適正管理作業情報の情報量（記載内容）が多い場合でも、この適正管理作業情報を省略したり、文字を小さくして無理に記載したりしなくとも良く、適正な適正管理作業情報を、詳細に且つ見易い状態で表示することができる実用性に優れた水稲栽培の適正管理作業早見盤となる。
【図面の簡単な説明】
【００１８】
【図１】本実施例の使用状態を示す正面図である。
【図２】本実施例の使用状態を示す背面図である。
【図３】本実施例の可動盤を示す正面図である。
【図４】本実施例の可動盤を示す背面図である。
【図５】本実施例の可動盤の背面側要部を示す拡大図である。
【図６】本実施例の基盤を示す正面図である。
【図７】本実施例の基盤を示す背面図である。
【発明を実施するための形態】
【００１９】
好適と考える本発明の実施形態を、図面に基づいて本発明の作用を示して簡単に説明する。
【００２０】
本発明は、水稲の生育状態を基盤４に設けた水稲生育状態確認方法表示部７に従って確認し、この確認して得られた水稲生育状態値１を、可動盤３に記載した複数の水稲生育状態値１の中から該当する水稲生育状態値１（近似する水稲生育状態値１若しくは一致する水稲生育状態値１）を選択し水稲生育状態値合わせ部５に一致させると、基盤４に設けた適正管理作業情報表示窓部６に適正管理作業情報２が表示され、この表示された適正管理作業情報２から得た適正な管理作業情報に従って水稲栽培における管理作業を行うことで重要な管理作業の適期を逸することなく、且つ適正な条件で管理作業を行うことができることとなる。
【００２１】
即ち、例えば中干し適期の情報を得たい場合は、田植え後、所定日数を経過した（例えば、３週間〜４週間程度）状態の水稲の生育状態の確認として一株当りの茎数を数え、この一株当りの茎数を数えて得た結果を水稲生育状態値１とし、可動盤３に記載している複数の水稲生育状態値１としての一株当りの茎数の中から該当する茎数を選択して水稲生育状態値合わせ部５に、この該当する茎数を一致させると、適正管理作業情報表示窓部６には、水稲の生育状態を確認した日から中干適期までの日数（例えば、５日後，２日後，明日など）が表示されるので、農家の人はこれを見るだけで容易に中干しをいつ行ったら良いかという適正な管理作業情報を容易に得ることができ、重要な管理作業の適期を逸することなく確実に行うことができるので、高品質・良食米を安定して生産することができる極めて利便性が高く実用性に優れた画期的な水稲栽培の適正管理作業早見盤となる。
【実施例】
【００２２】
本発明の具体的な実施例について図面に基づいて説明する。
【００２３】
本実施例は、水稲栽培における中干しや穂肥などの管理作業を適期に且つ適正に実施するために、水稲の生育状態を確認することで前記管理作業を最適な条件で行うための適正な管理作業情報を得ることができる携帯可能な水稲栽培の適正管理作業早見盤であって、前記水稲の生育状態を数値化した複数の水稲生育状態値１と前記水稲の生育状態に対応する前記管理作業の適正な管理作業を指示する複数の適正管理情報２とを記載した可動盤３を基盤４の内側若しくは下側に可動自在にして重合状態に設け、この基盤４の表面に選択する前記水稲生育状態値１を一致させる水稲生育状態値合わせ部５と、前記適正管理作業情報２を表示する適正管理作業情報表示窓部６と、前記水稲の生育状態の確認方法を記載した水稲生育状態確認方法表示部７とを設けて、この水稲生育状態確認方法表示部７に記載した前記水稲の生育状態の確認方法で確認した水稲生育状態値１を、前記可動盤３を可動し前記水稲生育状態値合わせ部５に一致させた際に、前記適正管理作業情報表示窓部６に確認した前記水稲の生育状態に応じた前記適正管理作業情報２を表示するように構成した水稲栽培の適正管理作業早見盤である。
【００２４】
具体的には、可動盤３は、円盤形状に形成し、基盤４は可動盤３を内側に収納する収納部を設けた方形状に形成し、可動盤３と基盤４の夫々の中心に貫通孔12，13を穿設し、この可動盤３に設けた貫通孔12と基盤４に設けた貫通孔13とが貫通状態となるように可動盤３を基盤４に重合収納し、貫通孔12，13に支持軸14を貫入して可動盤３を基盤４に回転自在に設けた構成としている。
【００２５】
尚、本実施例では、可動盤３を円盤状に形成し、基盤４に回転自在に設けた構成としているが、例えば、可動盤３を基盤４に対してスライド自在に設けた構成としても良く、また、可動盤３を基盤４の内側に可動盤３を収納する構成としたが、例えば、基盤４の下側に可動盤３を配して重合状態とする構成でも良く、可動盤３に記載した水稲生育状態値１、適正管理作業情報２を表示し得る構成であれば適宜採用するものとする。
【００２６】
また、可動盤３は、防水加工を施した紙板若しくはプラスチック製の板材を円盤形状に形成すると共に、中心に貫通孔12を穿設し、この円盤形状に形成した可動盤３の円周方向に沿って水稲生育状態値１及び適正管理作業情報２を記載した構成としている。
【００２７】
本実施例では、中干し適期の情報、適正な穂肥を施用するための情報、幼穂形成期以降の管理作業適期の情報を一台で全て得ることができるように、可動盤３には、中干し適期の情報を得るための水稲生育状態値１と適正管理作業情報２、適正な穂肥を施用するための情報を得るための水稲生育状態値１と適正管理作業情報２、及び幼穂形成期以降の管理作業適期の情報を得るための水稲生育状態値１と適正管理作業情報２とを記載しており、具体的には、可動盤３の一面に中干し適期の情報を得るための水稲生育状態値１と適正管理作業情報２とを記載し、他面の一側半面に適正な穂肥を施用するための情報を得るための水稲生育状態値１と適正管理作業情報２を記載し、他面の他側半面に幼穂形成期以降の管理作業適期の情報を得るための水稲生育状態値１と適正管理作業情報２とを記載している。
【００２８】
尚、本実施例では、管理作業適期の情報は、中干し適期を指示するための情報、又は適正な穂肥適期を施用するための情報、又は幼穂形成期以降に行う穂肥，落水若しくは収穫などの管理作業適期を指示するための情報の全て記載した構成としているが、必要に応じていずれか若しくはこれらを組み合わせたものとしても良い。
【００２９】
具体的には、円盤形状に形成した可動盤３の中心の放射線上の外周側に水稲生育状態値１を配し、この水稲生育状態値１に対応する適正管理作業情報２を中心側に配し、これを円周方向に沿って複数記載した構成としている。
【００３０】
また、より具体的には、中干し適期の情報を得るための水稲生育状態値１及び適正管理作業情報２は、外周側に水稲生育状態値１として一株当りの平均茎数を記載し、これに対応する適正管理作業情報２として水稲生育状態値１を確認した日から中干し適期までの日数を記載し、更に、この適正管理作業情報２は、５０株植えと６０株植えの二種類の栽植密度の田んぼに対応した適正管理作業情報２を記載しており、本実施例では、上段側（外周側）に５０株植えに対応する適正管理作業情報２を記載し、下段側（中心側）に５０株植えに対応する適正管理作業情報２を記載した構成としている。
【００３１】
更に具体的な記載内容について説明すると、本実施例では、中干し適期の情報を得るために確認する水稲生育状態値１、即ち一株当りの平均茎数を、９本、１０本、・・・、２０本、２１本以上の１３段階に区別して記載し、この１３段階に区別された水稲生育状態値１の夫々に対応する適正管理作業情報２として、８日後、７日後、・・・、明日、今日、若しくは遅れ気味或いは遅れすぎのため営農指導員に相談が必要であることを意味する表示（記号、絵など）を記載した構成としている。
【００３２】
また、適正な穂肥を施用するための情報を得るための水稲生育状態値１及び適正管理作業情報２は、外周側に水稲生育状態値１として水稲の葉色測定値、水稲の葉丈、水稲の一株当りの平均茎数を記載し、これに対応する適正管理作業情報２としてＡ〜Ｈのアルファベット記号を記載し、これを適正管理作業情報対応符号２ａとし、後述する適正管理作業情報対応表示部８に記載した適正管理作業情報２に対応するように構成している。
【００３３】
また、水稲生育状態値１としての葉色測定値は、葉緑素計を用いて測定したＳＰＡＤ値、若しくは葉色板を用いて測定した葉色板値であり、本実施例では、ＳＰＡＤ値と葉色板値の両方を記載し、いずれの測定方法にも対応可能な構成としている。
【００３４】
本実施例では、葉色測定値としてのＳＰＡＤ値は、３０以下、３１〜３３、３４〜３５、３６〜３７、３８以上の５段階に区別し、同様に葉色板値も、３．７以下、３．８〜４．２、４．３〜４．８、４．９〜５．３、５．４以上の５段階に区別している。
【００３５】
また、葉丈は、６９ｃｍ以下、７０ｃｍ〜７５ｃｍ、７６ｃｍ〜８０ｃｍ、８１ｃｍ〜８５ｃｍ、８６ｃｍ以上の５段階に区別している。
【００３６】
また、水稲の一株当りの平均茎数は、５０株植えの場合の一株当りの平均茎数、６０株植えの場合の一株当りの平均茎数の二種類の適正管理作業情報２を記載しており、更に、上述した５０株植え、６０株植え以外の田んぼにも対応できるよう、１平方メートル当りの茎数も記載した構成とし、具体的には、５０株植えの田んぼに対応する一株当りの平均茎数は、２４本以下、２５本〜２７本、２８本〜３０本、３１本〜３３本、３４本〜３７本、３８本〜４０本、４１本以上の７段階に区別し、同様に６０株植えの田んぼに対応する一株当りの平均茎数も、２０本以下、２１本〜２２本、２３本〜２５本、２６本〜２８本、２９本〜３１本、３２本〜３３本、３４本以上の７段階に区別ししている。
【００３７】
このように各水稲生育状態値１を段階的に区別し、この組合せによって最終的に８段階に分けられた水稲の生育状態に対応する適正管理作業情報２として、Ａ〜Ｈまでの８種類の適正管理作業情報対応符号２ａを記載している。
【００３８】
尚、可動盤３に記載する水稲生育状態値１として、水稲の葉色測定値、水稲の草丈、水稲の一株当りの平均茎数は、これらのいずれか若しくは組み合わせた構成としても良い。
【００３９】
また、幼穂形成期以降の管理作業適期の情報を得るための水稲生育状態値１及び適正管理作業情報２は、最外周に水稲生育状態値１としての幼穂形成期を確認できた月日を記載し、これに対応する適正管理作業情報２として幼穂形成期以降の管理作業の適期、具体的には、穂肥一回目の適期、穂肥二回目の適期、出穂期、落水適期、収穫適期を外周側から中心方向に向けて順に記載した構成としている。
【００４０】
更に具体的には、水稲生育状態値１は、幼穂長が１ｍｍになったことを確認できた日とし、本実施例では、例えば、この幼穂長１ｍｍとなった茎が四本になった日を幼穂形成期とし、本実施例では、この幼穂形成期として、例えば７／８、７／９、・・・、７／１９、７／２０までの１３日間を記載し、この７／８〜７／２０までの１３日間を基準とした夫々の穂肥一回目の適期、穂肥二回目の適期、出穂期、落水適期、収穫適期を記載した構成としている。
【００４１】
尚、可動盤３に記載する適正管理作業情報２としての穂肥一回目の適期、穂肥二回目の適期、出穂期、落水適期、収穫適期は、これらのいずれか若しくは組み合わせた構成としても良い。
【００４２】
また、基盤４は、防水加工を施した紙板若しくはプラスチック製の板材を方形状に形成した二枚の板材の中心に夫々貫通孔13を穿設し、この二枚の板材の縁部同士を重合接合し、内側に可動盤３を収納する収納部を設けた構成とし、更に、この基盤４の端部の一部を切り欠いて収納部に収納した可動盤３に記載した水稲生育状態値１を選択し一致させる水稲生育状態値合わせ部５を設け、この水稲生育状態値合わせ部５に水稲生育状態値１を一致させた際に、この水稲生育状態値１に対応する適正管理作業情報２を表示する適正管理作業情報表示窓部６を穿設すると共に、水稲生育状態値１を確認するための水稲の生育状態の確認方法を記載した水稲生育状態確認方法表示部７を設けた構成としている。
【００４３】
また、この水稲生育状態確認方法表示部７は、中干し適期の情報を得る際、或いは、適正な穂肥を施用するための情報を得る際の水稲生育状態値１として確認する水稲の茎の数え方を記載した水稲生育状態確認方法表示部７と、適正な穂肥を施用するための情報を得る際の水稲生育状態値１として確認する水稲の葉色の調べ方を記載した水稲生育状態確認方法表示部７と、幼穂形成期以降の管理作業適期の情報を得る際の水稲生育状態値１として確認する幼穂長の調べ方を記載した水稲生育状態確認方法表示部７との三つの水稲生育状態確認方法表示部７を設けた構成とし、具体的には、基盤４の一面、即ち、可動盤３の一面と同じ側に水稲の茎の数え方を記載した水稲生育状態確認方法表示部７を設け、他面の一側半面側に水稲の葉色の調べ方を記載した水稲生育状態確認方法表示部７を設け、他側半面側に幼穂長の調べ方を記載した水稲生育状態確認方法表示部７を設けて、基盤４の一面に中干し適期の情報を得るための中干し適期診断部８を設け、他面に適正な穂肥を施用するための情報を得るための適正穂肥診断部９、及び幼穂形成期以降の管理作業適期の情報を得るための後期管理作業適期診断部10を設けた構成としている。
【００４４】
更に具体的に説明すると、中干し適期診断部８は、基盤４の一面の上端中央部を切り欠いて可動盤３の円周方向に記載した複数の水稲生育状態値１のうち、確認した水稲生育状態値１に該当する水稲生育状態値１を表示し一致させる水稲生育状態値合わせ部５を設け、この水稲生育状態値合わせ部５の下方に方形状に穿孔して形成した適正管理作業情報表示窓部６を上下二段に並設状態に設けて、水稲生育状態値合わせ部５に中干し適期の情報を得るために確認した水稲生育状態値１としての一株あたりの平均茎数を、可動盤３を回転移動させて、確認した水稲生育状態値１に該当する水稲生育状態値１を複数の水稲生育状態値１の中から選択し一致させた際に、上下二段に並設した適正管理作業情報表示窓部６の上段側に５０株植えの場合の適正管理作業情報２を表示し、下段側に６０株植えの場合の適正管理作業情報２を表示するように構成し、更に、前述したように水稲の茎の数え方を記載した水稲生育状態確認方法表示部７を設けた構成としている。
【００４５】
また、適正穂肥診断部９は、基盤４の他面、即ち、上述した中干し適期診断部８を設けた面の裏面の一側の上端中央部を切り欠いて可動盤３の円周方向に記載した複数の水稲生育状態値１（具体的には、葉色測定値、草丈、一株当りの平均茎数）のうち、確認した水稲生育状態値１に該当する夫々の水稲生育状態値１を表示し一致させる水稲生育状態値合わせ部５を設け、この水稲生育状態値合わせ部５の下方に方形状に穿孔して形成した適正管理作業情報表示窓部６を設けて、水稲生育状態値合わせ部５に適正な穂肥を施用するための情報を得るために確認した水稲生育状態値１としての葉色測定値、草丈、一株あたりの平均茎数を、順に可動盤３を回転移動させて、夫々の確認した水稲生育状態値１に該当する水稲生育状態値１を複数の水稲生育状態値１の中から順に選択して一致させていった際に、適正管理作業情報表示窓部６に適正管理作業情報２としての適正管理作業情報対応符号２ａを表示するように構成し、この適正管理作業情報対応符号２ａを付した複数の適正管理作業情報２を列記した適正管理作業情報対応表示部11を設け、前述した水稲の葉色の調べ方を記載した水稲生育状態確認方法表示部７を設けた構成としている。
【００４６】
また、後期管理作業適期診断部10は、基盤４の他面、即ち、上述した中干し適期診断部８を設けた面の裏面の他側の上端中央部を切り欠いて可動盤３の円周方向に記載した複数の水稲生育状態値１のうち、確認した水稲生育状態値１に該当する水稲生育状態値１を表示し一致させる水稲生育状態値合わせ部５を設け、この水稲生育状態値合わせ部５の下方に適正管理作業情報表示窓部６を設けて、水稲生育状態値合わせ部５に幼穂形成期以降の管理作業適期の情報を得るために確認した水稲生育状態値１としての幼穂形成期を、可動盤３を回転移動させて、確認した水稲生育状態値１に該当する水稲生育状態値１を複数の水稲生育状態値１の中から選択し一致させた際に、適正管理作業情報表示窓部６に穂肥１回目の適期、穂肥２回目の適期、出穂期、落水期、収穫期を表示するように構成し、この適期管理作業情報表示窓部６の夫々の管理作業適期を表示した側方に各管理作業に関する意味や注意点を記載した管理作業ポイント表示部15を設け、更に、前述した水稲の幼穂長の調べ方を記載した水稲生育状態確認方法表示部７を設けた構成としている。
【００４７】
また、更に、この基盤４の裏面側端部には、水稲の草丈や幼穂長を測定するためのスケール表示部16を設けて、一々定規やメジャーなどの測定器具を田んぼに持っていかなくとも、本実施例だけで水稲の生育状態を確認することができるように構成している。
【００４８】
このように構成した本実施例の使用方法を以下に説明する。
【００４９】
例えば、中干し適期の情報を得たい場合は、基盤４の一面に設けた中干し適期診断部８を用いて中干し適期がいつになるかを診断する。
【００５０】
具体的には、所定の期間（例えば、田植え後、３週間〜４週間経過後）に、田んぼに生育している水稲の中から平均的な株を５株〜１０株程度選び、これらの選択した平均的な株の茎数を水稲生育状態確認方法表示部７に記載している水稲の茎の数え方に従って数え、これらの株の茎数を平均化して一株当りの平均茎数として算出したものを水稲生育状態値１とし、この田んぼに生育している水稲の生育状態を確認して得た水稲生育状態値１に該当する水稲生育状態値１を、可動盤３に記載した複数の水稲生育状態値１の中から可動盤３を回転させて選択し、基盤４に設けた水稲生育状態値合わせ部５に一致させる。
【００５１】
この確認した水稲生育状態値１を水稲生育状態値合わせ部５に一致させると、中干し適期を指示する適正管理作業情報２が適正管理作業情報表示窓部６に表示され、本実施例では、上段側に５０株植えの田んぼの中干し適期を表示し、下段側に６０株植えの田んぼの中干し適期を表示するように構成したので、５０株植えの農家は上段側に表示された適正管理作業情報２を、６０株植えの農家は下段側の表示を確認することで、この水稲の生育状態を確認した日から何日後が中干適期であるかを容易に判断することができる。
【００５２】
具体的に説明すると、例えば、田んぼの平均的な株の茎数を数えた結果、一株当りの平均茎数が１５本であった場合、可動盤３を回転移動させて、水稲生育状態値合わせ部５に「１５本」と記載された水稲生育状態値１を一致させると、適正管理作業情報表示窓部６の上段側には「３日後」と記載した適正管理作業情報２を表示され、下段側には「明日」を記載した適正管理作業情報２が表示される。
【００５３】
即ち、５０株植えの農家の場合は、この生育状態を確認した日から３日後が中干し適期であり、６０株植えの農家の場合は、明日が中干し適期とであるという管理作業を最適な条件で行うための適正な管理作業情報を容易に得ることができる。
【００５４】
また、例えば、田んぼの平均的な株の茎数を数えた結果、一株当りの平均茎数が１７本であった場合、可動盤３を回転移動させて、水稲生育状態値合わせ部５に「１７本」と記載された水稲生育状態値１を一致させると、適正管理作業情報表示窓部６の上段側には「明日」と記載した適正管理作業情報２を表示され、下段側には「遅れ気味」を記載した適正管理作業情報２が表示される。
【００５５】
このように、本実施例では、中干し適期を表示するだけではなく、中干し適期を逸した際にもこれが分かる表示をするように構成している。
【００５６】
また、適正な穂肥を施用するための情報、具体的には、穂肥適期並びに適正穂肥施用量の情報を得たい場合は、基盤４の他面の一側半面に設けた適正穂肥診断部９を用いる。
【００５７】
また、この適正穂肥診断部９は、上述したように水稲の葉色、水稲の草丈、水稲の一株当りの平均茎数の三つの生育状態から穂肥適期と適正穂肥施用量を診断している。
【００５８】
具体的には、所定の期間（例えば、幼穂形成期を確認できた日からの数日間）に、田んぼに生育している水稲の中から平均的な株を５株〜１０株程度選び、先ず始めに、これらの選択した平均的な株の葉色を水稲生育状態確認方法表示部７に記載している水稲の葉色の調べ方に従って測定し、これら測定した複数の葉色測定値を平均化した葉色測定値を水稲生育状態値１とし、この田んぼに生育している水稲の生育状態を確認して得た水稲生育状態値１（葉色測定値）に該当する水稲生育状態値１（葉色測定値）を、可動盤３に記載した複数の水稲生育状態値１（葉色測定値）の中から可動盤３を回転させて選択し、基盤４に設けた水稲生育状態値合わせ部５に一致させる。
【００５９】
次に前記葉色を測定した平均的な株の草丈を測定し、これら測定した複数の草丈を平均化した草丈を水稲生育状態値１とし、この田んぼに生育している水稲の生育状態を確認して得た水稲生育状態値１（草丈）に該当する水稲生育状態値１（草丈）を、可動盤３に記載した複数の水稲生育状態値１（草丈）の中から可動盤３を回転させて選択し、基盤４に設けた水稲生育状態値合わせ部５に一致させる。
【００６０】
尚、この草丈を測定する際は、基盤４の側端部に設けたスケール表示部16を利用することで、一々定規やメジャーなどの測定器具を持っていかなくとも、草丈を測定することができる。
【００６１】
最後に、前記葉色と草丈を測定した平均的な株の茎数を、中干し適期診断部８に設けた水稲生育状態確認方法表示部７に記載している水稲の茎の数え方に従って数え、これらの株の茎数を平均化して一株当りの平均茎数として算出したものを水稲生育状態値１とし、この田んぼに生育している水稲の生育状態を確認して得た水稲生育状態値１（茎数）に該当する水稲生育状態値１（茎数）を、可動盤３に記載した複数の水稲生育状態値１（茎数）の中から可動盤３を回転させて選択し、基盤４に設けた水稲生育状態値合わせ部５の矢印５ａに一致させる。
【００６２】
このように確認した水稲生育状態値１（葉色、草丈、茎数）を順に水稲生育状態値合わせ部５に一致させると、適正管理作業情報表示窓部６にＡ〜Ｈのいずれかの適正管理作業情報対応符号２ａが表示されるので、適正管理作業情報対応表示部11に列記した適正管理作業情報対応符号２ａを付した適正管理作業情報２と対応させることで出穂期を基準とした穂肥適期と適正穂肥施用量を指示する適正な穂肥を施用するための情報を容易に得ることができる。
【００６３】
具体的に説明すると、例えば、５０株植えの田んぼで使用する場合、この田んぼに生育している平均的な株の葉色（例えば、葉色板で測定した場合）と草丈と茎数とを確認した結果、それぞれの値（平均値）が、葉色測定値は３．８、草丈は７５ｃｍ、平均茎数は２９本であった場合、夫々該当する水稲生育状態値１としての葉色測定値と草丈とを順に水稲生育状態値合わせ部５に一致させ、最後に一株当りの平均茎数を矢印５ａに一致させると、適正管理作業情報表示窓部６には「Ｂ」と記載した適正管理作業情報対応符号２ａが表示され、適正管理作業情報対応表示部11に列記した適正管理作業情報対応符号２ａを付した適正管理作業情報２から、この「Ｂ」の符号が付いている適正管理作業情報２を確認すると、「出穂１８日前に１．５ｋｇ／１０ａ施用する」という指示が記載されており、これを見て農家は１回目の穂肥適期と適正穂肥施用量を指示する適正な穂肥を施用するための情報を容易に得ることができることとなる。
【００６４】
また、本実施例では、一株当りの平均茎数を示した水稲生育状態値１に１平方メートル当りの茎数も併記しているので、５０株植え若しくは６０株植え以外の栽植密度で水稲栽培をおこなっている田んぼの場合は、一株当りの平均茎数から１平方メートル当りの茎数を算出しこの値を水稲生育状態値１（茎数）として、該当（近似若しくは一致）する水稲生育状態値１（茎数）を水稲生育状態値合わせ部５に一致させることで、同様に１回目の穂肥適期と適正穂肥施用量を指示する適正な穂肥を施用するための情報を容易に得ることができる。
【００６５】
また、上述した穂肥適期の基準となる出穂期や落水期、収穫期などの幼穂形成期以降の管理作業適期の情報を得たい場合は、基盤４の他面の他側半面、即ち、上述した適正穂肥診断部９と同一面の反対側に設けた後期管理作業適期診断部10を用いる。
【００６６】
具体的には、所定の期間（例えば、従来の経験から幼穂形成期となりそうな期間）に、田んぼに生育している水稲の中から平均的な株を５株程度選び、これらの選択した平均的な株の幼穂長を水稲生育状態確認方法表示部７に記載している幼穂長の調べ方に従って幼穂長を測定し、幼穂長が１ｍｍ以上の茎の数が４本確認できた日を幼穂形成期とし、この幼穂形成期を水稲生育状態値１として、この水稲生育状態値１に該当する水稲生育状態値１を、可動盤３に記載した複数の水稲生育状態値１の中から可動盤３を回転させて選択し、基盤４に設けた水稲生育状態値合わせ部５に一致させる。
【００６７】
この水稲生育状態値１を水稲生育状態値合わせ部５に一致させると、幼穂形成期以降の管理作業、具体的には、穂肥１回目の適期、穂肥２回目の適期、出穂期、落水期、収穫期を指示する適正管理作業情報２が適正管理作業情報表示窓部６に表示され、幼穂形成期以降の管理作業適期がいつ頃であるかを容易に知り得ることができ、更に、この適期管理作業情報表示窓部６の側方に設けた管理作業ポイント表示部15に記載されている各管理作業の注意点に気をつけて管理作業を行うことで、容易に適正な管理作業を適期に行うことができる。
【００６８】
尚、この幼穂長を測定する際にも、草丈の測定時と同様に、基盤４の側端部に設けたスケール表示部16を利用することで、一々定規やメジャーなどの測定器具を持っていかなくとも、幼穂長を測定することができる。
【００６９】
従って、本実施例が一台あれば、所定の時期に田んぼに生育している水稲の生育状態を確認し、その確認した水稲生育状態値１を水稲生育状態値合わせ部５に一致させるだけで容易に管理作業を最適な条件で行うための適正な管理作業情報を得ることができるので、
従来のように、毎日田んぼに行って水稲の生育状態を確認して水稲の生育状態が管理作業の適期の状態になったかどうかを一々確認する必要がなく、また、その水稲の生育状態の確認方法も水稲生育状態確認方法表示部に記載しているので、これら水稲の生育状態の確認方法を一々知識として習得しておく必要が無く、従って、例えば専門書で調べたり講習会などで情報収集をしたりする手間も省けるので、利便性が高く実用性に優れた水稲栽培の適正管理作業早見盤となる。
【００７０】
尚、本発明は、本実施例に限られるものではなく、各構成要件の具体的構成は適宜設計し得るものである。
【符号の説明】
【００７１】
１  水稲生育状態値
２  適正管理作業情報
２ａ  適正管理作業情報対応符号
３  可動盤
４  基盤
５  水稲生育状態値合わせ部
６  適期管理作業情報表示窓部
７  水稲生育状態確認方法表示部
８  中干し適期診断部
９  適正穂肥診断部
10  後期管理作業適期診断部
11  適正管理作業情報対応表示部
【図１】
2011254710.tif 000003
【図２】
2011254710.tif 000004
【図３】
2011254710.tif 000005
【図４】
2011254710.tif 000006
【図５】
2011254710.tif 000007
【図６】
2011254710.tif 000008
【図７】
2011254710.tif 000009